(57)【要約】【課題】  本発明は、傘布の表面にキャラクターや写真等の絵がプリントされる傘及び傘の製造方法に関し、傘布の表面にプリントされた絵の整体や美観を向上させると供に、傘布の反転を防止することのできる傘及び傘の製造方法を提供することを目的とする。【解決手段】  略正方形の傘布２５の四隅に切欠き部２５Ａをそれぞれ形成し、傘布２５の２つの角部２５Ｂと石突き２２とを結ぶ線上に一対の骨部２６Ａ，２６Ｂを配設し、傘布２５を石突き２２と角部２５Ｂとにのみ接続し、一対の骨部２６Ａ，２６Ｂには、一対の骨部２６Ａ，２６Ｂ間の拡張を防止するテグス３４を配設した構成とする。【選択図】  図３
2005160787.tif 000002
【特許請求の範囲】
【請求項１】
開いた状態において四角形状に形成された傘布と、
一方の端部に石突きが設けられた傘軸と、
前記石突きと前記傘布の端部とを接続して前記傘布を支持する親骨と、
前記傘軸の軸方向に移動可能なろくろ部と、
前記親骨と前記ろくろ部との間に配設され、前記ろくろ部の移動により、前記親骨に支持された前記傘布を開閉自在に支持する受け骨とを備え、
前記石突きと前記傘布の端部とを結ぶ線上にそれぞれ一対の親骨を設けたことを特徴とする傘。
【請求項２】
前記一対の親骨間には、前記一対の親骨の拡張を防止するための拡張防止機構を設けたことを特徴とする請求項１に記載の傘。
【請求項３】
前記拡張防止機構は、前記一対の親骨間を結ぶ紐により構成されていることを特徴とする請求項２に記載の傘。
【請求項４】
前記親骨の先端には、前記親骨の先端を収納するための露先が設けられており、
前記傘布は、前記石突きと前記露先とにのみ固定されていることを特徴とする請求項１乃至３のいずれか一項に記載の傘。
【請求項５】
前記親骨の先端には、前記傘布を固定する為の固定手段が前記親骨自身に設けられており、
前記傘布は、前記石突きと前記固定手段とにのみ固定されていることを特徴とする請求項１乃至３のいずれか一項に記載の傘。
【請求項６】
前記一対の親骨間に位置する傘布には、前記親骨の先端より窪むよう切欠き部を形成したことを特徴とする請求項１乃至３のいずれか１項に記載の傘。
【請求項７】
前記傘布を開いた際、前記石突きに前記親骨が固定された位置と前記露先とを結ぶ直線と、前記傘軸の中心軸とにより形成される角度を７０度から８５度の範囲に形成したことを特徴とする請求項１乃至６のいずれか１項に記載の傘。
【請求項８】
請求項１乃至７のいずれか１項に記載の傘の製造方法において、
１枚の布地から前記傘布を前記四角形状に一括裁断して形成する工程を設けたことを特徴とする傘の製造方法。
【請求項９】
前記切欠き部は、前記傘布を前記四角形状に一括裁断する際に同時に形成されることを特徴とする請求項８項に記載の傘の製造方法。
【発明の詳細な説明】
【技術分野】
【０００１】
傘及び傘の製造方法に係り、特に傘布の表面にキャラクターや写真等の絵がプリントされる傘及び傘の製造方法に関する。
【背景技術】
【０００２】
一般的に傘は、傘布の形状が六角形ないし八角形のものが多く、このような形状の傘布を用いた傘では、石突きを中心として放射線上に等間隔で６本ないし８本の親骨が配設されている。
【０００３】
傘の中には、傘布の表面にキャラクターや写真等の絵がプリントされたものがある。等間隔で８本の親骨を有した傘の傘布に絵をプリントした場合、等間隔に配設された６本ないし８本の親骨により、傘布の表面に凹凸が形成され、プリントされた絵の整体や美観が損なわれる。
【０００４】
親骨の本数を削減した従来技術の傘としては、図１に示すような四角形の傘布を用いたミニ日傘がある。図１は、従来技術の傘の斜視図である。図１に示すように、傘１０は、大略すると傘軸１１と、石突き１２と、傘布１３と、親骨１４とにより構成されている。傘軸１１の一方の端部には、石突き１２が配設されている。
【０００５】
傘布１３は、四角形状に形成されている。傘布１３の四隅と石突き１２との間には、親骨１４が配設されており、４本の親骨１４により傘布１３は支持されている（例えば、特許文献１参照。）。このように、傘布を支持する親骨の本数を減らすことにより、傘布の表面に形成される凹凸形状を少なくすることができる。また、一般的な傘には、傘布が風等により変形することを防ぐために、傘布は親骨に対して糸等により複数箇所固定されている。
【特許文献１】実用新案登録第３０６４３９４号公報
【発明の開示】
【発明が解決しようとする課題】
【０００６】
しかしながら、従来の傘１０では、傘布１３を支持する親骨１４が４本でも、傘布１３が小さいため、風の影響を受けにくいが、一般的な傘の傘布の面積を４本の親骨で支持した場合は、強度的に弱く、傘が強風を受けた際、傘布が反転（「おちょこ」の状態）してしまうという問題点があった。また、傘布は親骨に対して糸等により複数箇所固定された傘の場合には、骨部と傘布とを接続する糸により傘布が引っ張られ、プリントされた絵に歪みが生じてしまうという問題があった。
【０００７】
そこで本発明は、上述した問題点に鑑みなされたものであり、傘布の表面にプリントされた絵の整体や美観を向上させると共に、傘布の反転を防止することのできる傘及び傘の製造方法を提供することを目的とする。
【課題を解決するための手段】
【０００８】
上記課題を解決するために本発明では、次に述べる各手段を講じたことを特徴とするものである。
【０００９】
請求項１記載の発明では、開いた状態において四角形状に形成された傘布と、一方の端部に石突きが設けられた傘軸と、前記石突きと前記傘布の端部とを接続して前記傘布を支持する骨部と、前記傘軸の軸方向に移動可能なろくろ部と、前記骨部と前記ろくろ部との間に配設され、前記ろくろ部の移動により、前記骨部に支持された前記傘布を開閉自在に支持する受け骨とを備え、前記石突きと前記傘布の端部とを結ぶ線上にそれぞれ一対の骨部を設けたことを特徴とする傘により、解決できる。
【００１０】
上記発明によれば、四角形状に形成された傘布の端部と石突きとを結ぶ線上にそれぞれ一対の骨部を設けることにより、傘布の端部と石突きとを結ぶ線上にそれぞれ１本の骨部を設けた従来技術の傘と比較して、傘の強度を増加させて、傘の破損を防止することができる。
【００１１】
請求項２記載の発明では、前記一対の骨部間には、前記一対の骨部の拡張を防止するための拡張防止機構を設けたことを特徴とする請求項１に記載の傘により、解決できる。
【００１２】
上記発明によれば、一対の骨部間に拡張防止機構を設けたことにより、一対の骨部の拡張が防止され、傘が反転することを防止することができる。
【００１３】
請求項３記載の発明では、前記拡張防止機構は、前記一対の骨部間を結ぶ紐により構成されていることを特徴とする請求項２に記載の傘により、解決できる。
【００１４】
上記発明によれば、一対の骨部間を紐で結ぶことにより、簡単な構成で一対の骨部の拡張を防止することができる。
【００１５】
請求項４記載の発明では、前記骨部の先端には、前記骨部の先端を収納するための露先が設けられており、前記傘布は、前記石突きと前記露先とにのみ固定されていることを特徴とする請求項１乃至３のいずれか一項に記載の傘により、解決できる。
【００１６】
上記発明によれば、傘布は、石突きと露先とにのみ固定されており、骨部と傘布との間は固定されていないため、開閉時において傘布は骨部上を自由に移動することができる。したがって、傘布と骨部との間を糸により固定した従来の傘と比較して、絵のプリントされた傘布を開いた際の絵の整体や美観を向上させることができる。
【００１７】
請求項５記載の発明では、前記親骨の先端には、前記傘布を固定する為の固定手段が前記親骨自身に設けられており、前記傘布は、前記石突きと前記固定手段とにのみ固定されていることを特徴とする請求項１乃至３のいずれか一項に記載の傘により、解決できる。
【００１８】
上記発明によれば、親骨自身に傘布を固定するための固定手段を設けることにより、別途露先を設けることなく、傘布を固定することができるので傘を安く製造することができる。
【００１９】
請求項６記載の発明では、前記一対の骨部間に位置する傘布には、前記骨部の先端より窪むよう切欠き部を形成したことを特徴とする請求項１乃至３のいずれか１項に記載の傘により、解決できる。
【００２０】
上記発明によれば、一対の骨部間に位置する傘布に骨部の先端より窪むような切欠き部を形成することにより、傘布を閉じた際、傘布がはみ出すことがなくなり、使用性の向上を図ることができる。
【００２１】
請求項７記載の発明では、前記傘布を開いた際、前記石突きに前記親骨が固定された位置と前記露先とを結ぶ直線と、前記傘軸の中心軸とにより形成される角度を７０度から８５度の範囲に形成したことを特徴とする請求項１乃至６のいずれか１項に記載の傘により、解決できる。
【００２２】
上記発明によれば、傘布が反転されることを防ぐことができ、プリントされた傘布の絵の整体や美観を向上させることができる。
【００２３】
請求項８記載の発明では、請求項１乃至７のいずれか１項に記載の傘の製造方法において、１枚の布地から前記傘布を前記四角形状に一括裁断して形成する工程を設けたことを特徴とする傘の製造方法により、解決できる。
【００２４】
上記発明によれば、１枚の布地から傘布を四角形状に一括裁断するため、従来の複数枚の布地を縫い合わせて傘布を形成する場合と比較して、短時間に傘布を形成できると共に、傘布に縫い目がないため、プリントされた傘布の位置ずれを防いで、絵の整体や美観を向上させることができる。
【００２５】
請求項９記載の発明では、前記切欠き部は、前記傘布を前記四角形状に一括裁断する際に同時に形成されることを特徴とする請求項８項に記載の傘の製造方法により、解決できる。
【００２６】
上記発明によれば、傘布の裁断と同時に切欠き部を形成することができ、製造に要する時間を短縮することができる。
【発明の効果】
【００２７】
本発明によれば、傘布の表面にプリントされた絵の整体や美観を向上させると供に、風等の影響により、傘布が反転されるのを防止することのできる傘及び傘の製造方法を提供することを目的とする。
【発明を実施するための最良の形態】
【００２８】
次に、図面に基づいて本発明の実施例を説明する。始めに、図２乃至図５を参照して、本発明の一実施例による傘２０の概略の構成について説明する。図２は、本発明の一実施例による傘の概略を示した斜視図であり、図３は、図２に示した傘をＡ視した図である。また、図４は、図３に示した傘のＣ−Ｃ線方向の断面をＢ視した図であり、図５は、図３に示した傘から傘布を除去した状態を示した図である。なお、図４中に示したＤは、傘軸２１の中心軸（以下、中心軸Ｄとする）を示しており、同図中に示したＥは、石突き２２に親骨２６Ａ，２６Ｂが固定された位置と露先２８とを結ぶ直線（以下、直線Ｅとする）を示している。また、図４中のθは、直線Ｅと中心軸Ｄとが成す角度（以下、角度θとする）を示している。図５中に示した一点鎖線は、親骨４６Ａと親骨４６Ｂとの間がテグス３４で接続されていない状態を示している。
【００２９】
傘２０は、大略すると傘軸２１と、石突き２２と、柄２３と、傘布２５と、親骨２６Ａ，２６Ｂと、露先２８と、受け骨３２と、支持骨３１と、紐であるテグス３４と、ろくろ部３５とにより構成されている。なお、傘布２５の表面には、図示していない絵がプリントされている。
【００３０】
傘軸２１の一方の端部には、石突き２２が設けられており、他方の端部には柄２３が設けられている。石突き２２の下方の傘軸２１には、ろくろ部３６が傘軸２１の軸方向に移動可能な状態で設けられている。ろくろ部３６は、大略すると上ろくろ３３Ａと、スプリングバネ３５と、下ろくろ３３Ｂとにより構成されている。上ろくろ３３Ａには、受け骨３２が配設されており、下ろくろ３３Ｂには、支持骨３１が配設されている。
ろくろ部３６を石突き２２側に移動させることで、支持骨３１に支持された受け骨３２が親骨２６Ａ，２６Ｂを押し上げて傘布２５が開かれる。また、ろくろ部３６を柄２３側に移動させることで傘布２５は閉じられる。ろくろ部３６は、支持骨３１に支持された受け骨３２を介して親骨２６Ａ，２６Ｂの開閉を行うためのものである。
【００３１】
傘布２５は、略正方形の形状をしており、その四隅には一対の親骨２６Ａ，２６Ｂの先端より窪むような切欠き部２５Ａがそれぞれ形成されている。この切欠き部２５Ａは、四角形状に形成されている。また、切欠き部２５Ａを設けることで、傘布２５の端部には２つの角部２５Ｂが形成される。なお、請求項に記載の「傘布の端部」とは、角部２５Ｂのことである。
【００３２】
このように、一対の親骨２６Ａ，２６Ｂ間に位置する傘布２５に親骨２６Ａ，２６Ｂの先端より窪むような切欠き部２５Ａを形成することにより、傘布２５を閉じた際、露先２８から柄２３側に傘布２５がはみ出すことがなくなる。したがって、例えば、傘布２５を閉じた状態で複数の露先２８をマジックテープ等の付いた布で固定する機構を有した傘では、複数の露先２８を容易に固定することができ、使用性の向上を図ることができる。また、傘布２５を閉じた際の外観を良くすることができる。
【００３３】
親骨２６Ａ，２６Ｂは、石突き２２と傘布２５の角部２５Ｂとを結ぶ線上にそれぞれ配設されている。親骨２６Ａ，２６Ｂは、全部で８本配設されており、親骨２６Ａと親骨２６Ｂとは、同一な構成及び形状に形成されている。近接する２つの角部２５Ｂと石突き２２とを結ぶ線上に一対の親骨２６Ａ，２６Ｂが配設されている。また、２本の親骨２６Ａ，２６Ｂは、石突き２２に摺動可能な状態で接続されている。
【００３４】
このように、石突き２２と傘布２５の角部２５Ｂとを結ぶ線上にそれぞれ一対の親骨２６Ａ，２６Ｂを設けることにより、四角形状の傘布１３に４本の親骨１４を設けた従来技術の傘１０と比較して、傘２０の強度を増加させることができ、風雨等を受けた際、傘２０が破損することを防止できる。
【００３５】
また、傘布２５を開いた状態（図４に示した状態）において、石突き２２に親骨２６Ａ，２６Ｂが固定された位置と露先２８とを結ぶ直線Ｅと傘軸２１の中心軸Ｄとが成す角度θは、７０度から８５度の範囲に設定されている。
【００３６】
このような角度θとなるように傘２０を構成することにより、傘布２５が反転されることを防ぐことができ、かつプリントされた傘布２５の絵の整体や美観を向上させることができる。
【００３７】
親骨２６Ａ，２６Ｂには、受け骨３２を装着するための装着部２９が配設されている。この装着部２９には、貫通穴２９ａが設けられている。親骨２６Ａ，２６Ｂの先端には、露先２８がそれぞれ配設されている。傘布２５は、露先２８と石突き２２とにのみ固定されている。
【００３８】
このように、傘布２５を露先２８と石突き２２とにのみ固定することで、親骨２６Ａ，２６Ｂと傘布２５との間は全く固定されていないため、親骨２６Ａ，２６Ｂの開閉に伴い、露先２８と石突き２２との間に配設された傘布２５は、親骨２６Ａ，２６Ｂ上を自由に移動することができる。
【００３９】
したがって、本実施例の傘布２０では、従来技術の傘１０のように、傘布１３と親骨１４との間を接続する係止用糸により傘布１３が引っ張られて、傘布１３にプリントされた絵が歪んだりすることがない。よって、傘布２５を開いた際のプリントされた絵の整体や美観を従来の傘１０よりも向上させることができる。
【００４０】
上記傘１０においては、親骨２６Ａ，２６Ｂの先端に露先２８を設けて、露先２８に傘布２５を固定させる構成としたが、親骨２６Ａ，２６Ｂ自身に傘布２５を固定するための固定手段、例えば、貫通穴を設けて、貫通穴に傘布２５と接続された糸を通して傘布２５を親骨２６Ａ，２６Ｂに固定させる構成としても良い。このような構成とすることで、別途露先を設けることなく、傘布２５を固定することができるので傘を安く製造することができる。
【００４１】
受け骨３２は、装着部２９と上ろくろ３３Ａとの間に配設されており、装着部２９と上ろくろ３３Ａとの両方に対して摺動可能な状態とされている。受け骨３２には、装着部２９に装着するための装着部３２Ａが設けられており、装着部３２Ａには貫通穴３２ａが形成されている。また、受け骨３２には、支持骨３１が配設されている。支持骨３１は、受け骨３２を支持するためのものであり、受け骨３２と下ろくろ３３Ｂとに摺動可能な状態で接続されている。受け骨３２は、ろくろ部３６の移動を受けて親骨２６Ａ，２６Ｂを開閉するためのものである。
【００４２】
図６は、受け骨と親骨との接続部分を拡大した図である。図６に示すように、貫通穴２９ａと貫通穴３２ａとには、円筒部３８Ａと係止部３８Ｂとを有した円筒状係止部材３８が挿入されている。また、円筒部３８Ａには、貫通穴３８ａが形成されている。円筒状係止部材３８は、親骨２６Ａ又は親骨２６Ｂと受け骨３２とを摺動可能に接続するためのものである。この円筒状係止部材３８の係止部３８Ｂを外側に折り曲げることで、親骨２６Ａ又は親骨２６Ｂと受け骨３２とが摺動可能に接続される。また、一対の親骨２６Ａ，２６Ｂの拡張を防止するための拡張防止機構であるテグス３４は、一対の親骨２６Ａ，２６Ｂ間を接続しており、具体的には一対の親骨２６Ａ，２６Ｂにそれぞれ設けられた貫通穴３８ａ間を接続するように配設されている。
【００４３】
このように拡張防止機構としてテグス３４を用いることにより、安価で簡単な構成により、一対の親骨２６Ａ，２６Ｂの拡張を防止して、傘布２５が反転（「おちょこ」になること）することを防ぐことができる。なお、本実施例において、拡張防止機構は、本実施例に用いたテグス３４に限定されるものではなく、紐であれば良く、好ましくは、耐久性のあるものが良い。また、拡張防止機構には、紐の代わりにバネを用いても良い。
【００４４】
上記説明したような構成の傘２０とすることにより、絵がプリントされた傘布２５を開いた状態において、絵の整体や美観を向上させると供に、親骨２６Ａ，２６Ｂの強度を向上させて、拡張防止機構としてテグス３４を設けることにより、傘布２５の反転を防止することができる。
【００４５】
また、図５中の一点鎖線で示すように、テグス３４が設けられていない構造の傘が風を受けた場合、親骨４６Ａと親骨４６Ｂとは離間する方向に移動して傘２５が反転状態となり、傘布２５に固定された露先２８から親骨４６Ａ，４６Ｂが抜けて、傘の使用者が怪我をする原因となる。しかし、本実施例では、親骨２６Ａと親骨２６Ｂとの間にテグス３４が設けられているため、親骨２６Ａと親骨２６Ｂとの離間が抑制され、親骨２６Ａ，２６Ｂが露先２８から抜けることを防止することができる。
【００４６】
次に、図７乃至図８を参照して、傘布２５の形成工程について説明する。図７は、裁断前の布地を示した図であり、図８は、傘地を裁断して作られた傘布を示した図である。
【００４７】
本実施例の傘布２５は、図７に示すような１枚の布地を一括裁断することで形成される。一括裁断により形成された傘布２５は、図８に示すような略正方形の形状をしており、その四隅に切欠き部２５Ａと、中心部に石突き２２を貫通させるための開口部４８とが形成されている。
【００４８】
このように、１枚の布地を一括裁断して、傘布２５を形成することで、１枚の布地４７から一度の裁断で切欠き部２５Ａ及び開口部４８も形成するため、従来の複数枚の布地を縫い合わせて傘布を形成する場合と比較して、短時間に傘布２５を形成できると共に、傘布２５に縫い目がないため、プリントされた傘布２５の絵の整体や美観を向上させることができる。
【００４９】
以上、本発明の好ましい実施例について詳述したが、本発明はかかる特定の実施例に限定されるものではなく、特許請求の範囲内に記載された本発明の要旨の範囲内において、種々の変形・変更が可能である。
【００５０】
なお、本実施例において、石突き２２と傘布２５の角部２５Ｂとを結ぶ線上にそれぞれ一対の親骨２６Ａ，２６Ｂを設けた構成としたが、本実施例の親骨２６Ａ，２６Ｂの本数に限定されるものではなく、一対の親骨２６Ａ，２６Ｂ間にもう一本の親骨を設けた構成としても良い。また、本実施例において、切欠き部２５Ａは、四角形状に形成したが、本実施例の切欠き部２５Ａの形状に限定されるものではなく、例えば、三角形状に形成しても良い。
【産業上の利用可能性】
【００５１】
本発明は、傘布の表面にキャラクターや写真等の絵がプリントされる傘及び傘の製造方法に関し、傘布の表面にプリントされた絵の整体や美観を向上させると供に、傘布の反転を防止することのできる傘及び傘の製造方法を提供することを目的とする。
【図面の簡単な説明】
【００５２】
【図１】従来技術の傘の斜視図である。
【図２】本発明の一実施例による傘の概略を示した斜視図である。
【図３】図２に示した傘をＡ視した図である。
【図４】図３に示した傘のＣ−Ｃ線方向の断面をＢ視した図である。
【図５】図３に示した傘から傘布を除去した状態を示した図である。
【図６】受け骨と親骨との接続部分を拡大した図である。
【図７】裁断前の布地を示した図である。
【図８】傘地を裁断して作られた傘布を示した図である。
【符号の説明】
【００５３】
１０、２０  傘
１１、２１  傘軸
１２、２２  石突き
１３、２５  傘布
１４、２６Ａ、２６Ｂ、４６Ａ、４６Ｂ  親骨
２３  柄
２５Ａ  切欠き部
２５Ｂ  角部
２９、３２Ａ  装着部
２９ａ、３２ａ、３８ａ  貫通穴
２８  露先
３１  支持骨
３２  受け骨
３３Ａ  上ろくろ
３３Ｂ  下ろくろ
３４  テグス
３５  スプリングバネ
３６  ろくろ部
３８  円筒状係止部材
３８Ａ  円筒部
３８Ｂ  係止部
４７  布地
４８  開口部
Ｄ  中心軸
Ｅ  直線
θ  角度
【図１】
2005160787.tif 000003
【図２】
2005160787.tif 000004
【図３】
2005160787.tif 000005
【図４】
2005160787.tif 000006
【図５】
2005160787.tif 000007
【図６】
2005160787.tif 000008
【図７】
2005160787.tif 000009
【図８】
2005160787.tif 000010